(57)【要約】【課題】  塗料を小分けする容器を別途必要とせず、且つ塗装用具に適切な塗料の量を塗布することができ、塗装コストを低減することができる塗装用具用包装容器を提供する。【解決手段】  塗装用具用包装容器１０は、表面に膨出する塗装用具収納部１ａが形成されているブリスターカバー１と、塗装用具収納部１ａの開口を閉蓋する蓋板２とを備えており、塗装用具収納部１ａの側面には複数の線状突起３、３・・が形成されていて塗料を小分けする容器として使用することができる。【選択図】図１
0003190721.tif 000002
【実用新案登録請求の範囲】
【請求項１】
ハケ、塗装ローラ等の塗装用具を収納するための塗装用具用包装容器であって、該塗装用具用包装容器は、表面に膨出する塗装用具収納部が形成されたブリスターカバーと、前記塗装用具収納部の開口を閉蓋する蓋板とを有し、前記ブリスターカバーの塗装用具収納部の側面に複数の線状突起を形成したことによって、前記蓋板を取り外して前記ブリスターカバーの前記塗装用具収納部に塗料を注入し、前記線状突起によって塗装用具に付着させる塗料の量を調節するようにして塗装時に使用可能なことを特徴とする塗装用具用包装容器。
【請求項２】
ブリスターカバーの一対の側縁を背面側に折り返して折り返し片を形成し、該折り返し片の間に蓋板を差し込んで開口を閉蓋することを特徴とする請求項１に記載の塗装用具用包装容器。
【請求項３】
折り返し片の端部は、開口の口縁よりも内側に突出していることを特徴とする請求項２に記載の塗装用具用包装容器。
【請求項４】
線状突起は、ハ字形状であって、ブリスターカバーの塗装用具収納部の側面の上下方向に複数配置されていると共に、所定の間隔をあけて複数列配置されていることを特徴とする請求項１〜３のいずれか１項に記載の塗装用具用包装容器。
【考案の詳細な説明】
【技術分野】
【０００１】
本考案は、ハケ、塗装ローラ等の塗装用具を収納するための塗装用具用包装容器に関し、より詳しくは、容器に塗料を注入して塗装作業時に使用することが可能な塗装用具用包装容器に関するものである。
【背景技術】
【０００２】
従来から、塗料が詰められている缶の内側に線状の突起を形成し、該突起によってハケや塗装ローラに付着している塗料の付着量を調節する考案が知られている（特許文献１〜３）。
【０００３】
特許文献１に記載の考案では、缶胴角形にして、缶胴の断面形状を全周面に亘って凹凸状にしている。また、特許文献２に記載の考案では、塗料を詰めた密閉状容器の側面及び上下面のうちの少なくとも一容器面に、ローラ塗装に際して塗料の液切りを行う突起状の液切り手段を設けている。
【０００４】
更に、特許文献３に記載の考案では、塗料缶の側板の内側面に線状突起を設け、該線状突起は、側板の上下方向に交互に配置されるヘ字形突起及びハ字形突起からなり、ヘ字形突起とハ字形突起との上下方向の隙間に、ローラブラシの転がり段差を設けている。
【先行技術文献】
【特許文献】
【０００５】
【特許文献１】実開昭５５−１７４３９８号公報
【特許文献２】実開昭６０−１９３２７７号公報
【特許文献３】特開平１１−３１９６８８号公報
【考案の概要】
【考案が解決しようとする課題】
【０００６】
しかしながら、上記特許文献１〜３に記載の考案で使用する塗料缶は一斗缶であり、建物の外壁等の大面積を一色で塗装する場合等においては有効であるが、家庭で小面積の塗装に使用する場合には、別の容器に小分けして使用するのが通常であり、塗料を小分けする容器を別途必要とし、更には、その小分け容器の内側面に塗料の量を調節可能な線状突起等が形成されていなければならず、塗装コストが高くなっていた。
【０００７】
本考案は、上記のような課題を解決する為になされたもので、塗料を小分けする容器を別途必要とせず、且つ塗装用具に適切な塗料の量を塗布することができ、塗装コストを低減することができる塗装用具用包装容器を提供することを目的としている。
【課題を解決するための手段】
【０００８】
上記従来の課題を解決する為に、請求項１の考案は、ハケ、塗装ローラ等の塗装用具を収納するための塗装用具用包装容器であって、該塗装用具用包装容器は、表面に膨出する塗装用具収納部が形成されたブリスターカバーと、前記塗装用具収納部の開口を閉蓋する蓋板とを有し、前記ブリスターカバーの塗装用具収納部の側面に複数の線状突起を形成したことによって、前記蓋板を取り外して前記ブリスターカバーの前記塗装用具収納部に塗料を注入し、前記線状突起によって塗装用具に付着させる塗料の量を調節するようにして塗装時に使用可能なことを特徴としている。したがって、塗料を小分けする容器を別途購入する必要がなく、塗装用具と塗料を購入するだけで塗装作業を行うことができることから、家庭における日曜大工で簡単な塗装を行う場合に、塗装コストが大きくなるのを防ぐことができる。また、複数の線状突起によって、塗装用具に付着させる塗料の量を調節することができ、ムラのない均一な塗装を容易に行うことができる。
【０００９】
請求項２の考案は、請求項１に記載の構成よりなる塗装用具用包装容器において、ブリスターカバーの一対の側縁を背面側に折り返して折り返し片を形成し、該折り返し片の間に蓋板を差し込んで開口を閉蓋することを特徴としている。したがって、蓋板を容易に取り外すことができ、蓋板を取り外した後、塗装用具を取り出すことによって直ぐに塗料を小分けする容器として使用することができる。
【００１０】
請求項３の考案は、請求項２に記載の構成よりなる塗装用具用包装容器において、折り返し片の端部は、開口の口縁よりも内側に突出していることを特徴としている。折り返し片を開口の口縁よりも内側に突出させることによって、この突出した部分に、塗料が付着している塗装用具をこすり付けることができ、ムラのない均一な塗装を行うことができる。
【００１１】
請求項４の考案は、請求項１〜３のいずれかに記載の構成よりなる塗装用具用包装容器において、線状突起は、ハ字形状であって、ブリスターカバーの塗装用具収納部の側面の上下方向に複数配置されていると共に、所定の間隔をあけて複数列配置されていることを特徴としている。したがって、横幅が短いハケは言うまでもなく、横幅が長い塗装ローラ等、種々の塗装用具を使用する場合にも対応することができる。
【考案の効果】
【００１２】
請求項１の考案では、塗装コストが大きくなるのを防ぐことができると共に、ムラのない均一な塗装を容易に行うことができる。また、請求項２の考案では、蓋板を容易に取り外すことができる。また、請求項３の考案では、ムラのない均一な塗装を行うことができる。また、請求項４の考案では、種々の塗装用具を使用する場合にも対応することができる。
【図面の簡単な説明】
【００１３】
【図１】本考案に係る塗装用具用包装容器の斜視図
【図２】本考案に係る塗装用具用包装容器の背面図
【図３】本考案に係る塗装用具用包装容器のブリスターカバーを小分け容器としてハケにより使用している状態を示す斜視図
【図４】図３のＣ−Ｃ断面図
【図５】本考案に係る塗装用具用包装容器の他の実施形態を示す断面図
【図６】本考案に係る塗装用具用包装容器のブリスターカバーを小分け容器として塗装ローラにより使用している状態を示す斜視図
【考案を実施するための形態】
【００１４】
以下、本考案の実施形態について、図面を参照しながら説明する。図１は、本考案に係る塗装用具用包装容器の斜視図であり、図２は、背面図である。これらの図に示すように、塗装用具用包装容器１０は、表面に膨出する塗装用具収納部１ａが形成されているブリスターカバー１と、塗装用具収納部１ａの開口を閉蓋する蓋板２とを備えている。
【００１５】
ブリスターカバー１の塗装用具収納部１ａの側面に複数の線状突起３、３・・が形成されている。複数の線状突起３、３・・は、開口を上側とした場合にハ字形状であって、ブリスターカバー１の塗装用具収納部１ａの側面の上下方向に複数配置されていると共に、所定の間隔をあけて複数列配置されている。ブリスターカバー１は、塗装用具収納部１ａの上方に、フック穴からなる吊下げ部６が形成されている。
【００１６】
ブリスターカバー１は、左右の一対の側縁が背面側に折り返されて折り返し片４、４が形成されている。この折り返し片４、４の間に蓋板２がスライドするように差し込まれて開口が閉蓋されている。尚、ブリスターカバー１の下方の側縁も背面側に折り返されて折り返し片５が形成されている。この折り返し片５に蓋板２の下縁が当接して、蓋板２が、それ以上、下方にスライドしないようにしている。
【００１７】
ブリスターカバー１を形成する合成樹脂は特に限定されず、ポリ塩化ビニル、ポリエチレン、ポリプロピレン、ポリエチレンテレフタレート、ポリスチレン、ポリカーボネート等の各種の樹脂を用いることができる。透明な合成樹脂シートを用いてブリスターカバー１を形成すれば、販売される塗装用具の優れた外観、模様、色彩等を陳列時に視認させることができるため好ましい。
【００１８】
これらの合成樹脂からなるシートは、収納する清掃具の特性を考慮して適宜厚みを調整すればよく、通常０．１〜１ｍｍ、好ましくは０．３〜０．８ｍｍの厚みとする。合成樹脂からなるシートは金型成形等により所望の形状に加工される。
【００１９】
また、図２に示すように、蓋板２の上部にはフック穴からなる吊下げ部７が形成されている。この吊下げ部７は、蓋板２が塗装用具収納部１ａの開口を閉蓋した状態で、ブリスターカバー１に形成されている吊下げ部６と一致する位置に設けられている。塗装用具用包装容器１０は、吊下げ部６、７が設けられていることによって、陳列台のバーに通して吊り下げることができ、狭いスペースに多数の塗装用具用包装容器１０を整然と陳列することができる。
【００２０】
蓋板２の材質は特に限定されず、合成樹脂シート、板紙、合成紙、合成樹脂シートと板紙又は合成紙等からなる積層材等を用いることができる。これらの中では、取扱いの利便性や印刷等の加工性の観点からコート板紙が好ましい。
【００２１】
図３は、ブリスターカバー１を小分け容器としてハケ８により使用している状態を示す斜視図である。塗装作業時には先ず、作業者は、塗装用具収納部１ａに塗料を小分けした後、塗装用具であるハケ８の柄８ａを握って毛材８ｂに塗料を付着させる。この時、毛材８ｂには均一に塗料が付着していない。そこで、ブリスターカバー１の塗装用具収納部１ａの側面の上下方向に複数配置されている線状突起３、３・・に毛材８ｂの側部及び端部をこすり付けることによって、付着している余剰の塗料を削ぎ落とすのである。これにより、ハケ８の毛材８ｂに付着させる塗料の量を調節することができ、ムラのない均一な塗装を行うことができる。
【００２２】
図４は、図３のＣ−Ｃ断面図である。図４に示すように、ブリスターカバー１の折り返し片４は、開口９の口縁９ａよりも外側に位置している。また、口縁９ａは、角部となっている。この角部９ａにハケ等の塗装用具をこすり付けて塗料の量を調節することができる。また、塗装用具収納部１ａの内側面に形成されている複数の線状突起３、３・・に塗装用具をこすり付けて、塗料の量を調節することができる。この複数の線状突起３、３・・に塗装用具をこすり付けた時に削ぎ落とされる塗料や、前記角部で削ぎ落とされる塗料が、折り返し片４によって、塗装用具収納部１ａの外側面に付着するのを防いでいる。
【００２３】
図５は、本考案に係る塗装用具用包装容器の他の実施形態を示す断面図である。図５に示すように、ブリスターカバー１１の折り返し片４ａの端部は、開口９の口縁９ａよりも内側に突出させている。この突出した部分Ｄに、塗料が付着している塗装用具をこすり付けることができ、ムラのない均一な塗装を行うことができる。また、突出した部分Ｄを長くすることによって、塗装用具収納部１ａの側面に形成されている複数の線状突起３、３・・に塗装用具をこすり付けた時に、削ぎ落とされる塗料が塗装用具収納部１ａの外側に飛び散るのを防ぐことができる。
【００２４】
図６は、ブリスターカバー１を小分け容器として塗装ローラ１２により使用している状態を示す斜視図である。塗装ローラ１２は、把持部１２ａとロール部１２ｂとを支持棒１２ｃによって連結しているものであり、支持棒１２ｃは、ロール部１２ｂを回転自在に支持している。そして、塗装作業時には先ず、作業者は、塗装用具収納部１ａに塗料を小分けした後、塗装用具である塗装ローラ１２の把持部１２ａを握ってロール部１２ｂに塗料を付着させる。この時、ロール部１２ｂには均一に塗料が付着していない。そこで、ブリスターカバー１の塗装用具収納部１ａの側面の上下方向に複数配置されている線状突起３、３・・にロール部１２ｂをこすり付けることによって、付着している余剰の塗料を削ぎ落とすのである。これにより、塗装用ローラ１２のロール部１２ｂに付着させる塗料の量を調節することができ、ムラのない均一な塗装を行うことができる。また、線状突起３、３・・は、ハ字形状であって、ブリスターカバー１の塗装用具収納部１ａの側面の上下方向に複数配置されていると共に、所定の間隔をあけて複数列配置されているので、横幅が短いハケ８は言うまでもなく、横幅が長い塗装ローラ１２等、種々の塗装用具を使用する場合にも対応することができる。
【産業上の利用可能性】
【００２５】
本考案の塗装用具用包装容器は、ハケ、塗装ローラ等の塗装用具を収納するための包装容器及び塗装時の塗料の小分け容器として使用される。
【符号の説明】
【００２６】
１、１１  ブリスターカバー
１ａ  塗装用具収納部
２  蓋板
３  線状突起
４、４ａ、５  折り返し片
６、７  吊下げ部
８  ハケ
８ａ  柄
８ｂ  毛材
９  開口
９ａ  口縁（角部）
１０  塗装用具用包装容器
１２  塗装ローラ
１２ａ  把持部
１２ｂ  ロール部
１２ｃ  支持棒
【図１】
0003190721.tif 000003
【図２】
0003190721.tif 000004
【図３】
0003190721.tif 000005
【図４】
0003190721.tif 000006
【図５】
0003190721.tif 000007
【図６】
0003190721.tif 000008